(57)【要約】  本発明に係る多面上映館モニタリングシステムは、単一の上映館内に配設された複数個の投射面と、前記複数個の投射面にコンテンツを投射する投射装置と、前記上映館の内部をモニタリングする中央管制サーバと、前記中央管制サーバのモニタリング情報を受信する管理者端末と、を含み、前記中央管制サーバは、前記複数個の投射面に投射されるコンテンツのイメージ情報エラーが発生したら、前記管理者端末にエラー情報を送信することを特徴とする。
2020504913.tif 000002
【特許請求の範囲】
【請求項１】
上映館内に配設された複数個の投射面をモニタリングする段階と、
前記モニタリングによる前記上映館の情報を管理者端末に送信する段階と、を含むことを特徴とする多面上映館モニタリング方法。
【請求項２】
前記モニタリングする段階以前に、
少なくとも一つ以上の投射領域を含む投射面を撮影し、前記投射面のイメージ情報を受信する段階と、
前記受信したイメージ情報に基づいて、前記少なくとも一つ以上の投射領域を識別する段階と、
前記受信したイメージ情報に基づいて、前記投射面の基準ピクセル値を設定する段階と、をさらに含むことを特徴とする請求項１に記載の多面上映館モニタリング方法。
【請求項３】
前記モニタリングする段階は、
撮影装置が既設定された時間間隔毎に撮影した前記少なくとも一つ以上の投射領域を含む投射面のイメージ情報を受信する段階と、
前記イメージ情報内で、前記少なくとも一つ以上の投射領域における平均ピクセル値と前記投射面の基準ピクセル値とを比較する段階と、を含むことを特徴とする請求項２に記載の多面上映館モニタリング方法。
【請求項４】
前記少なくとも一つ以上の投射領域における平均ピクセル値が前記基準ピクセル値と異なると、前記上映館内の投射関連装置のエラーを検出する段階を含み、
前記上映館のエラー情報及び前記エラー情報による対処方法を前記管理者端末に送信することを特徴とする請求項３に記載の多面上映館モニタリング方法。
【請求項５】
前記エラーを検出する段階は、
前記投射関連装置のネットワーク状態を確認する段階と、
前記少なくとも一つ以上の投射領域と対応する投射装置の状態情報を確認する段階と、
前記投射装置が投射するコンテンツを管理する中央管制サーバのエラーを確認する段階と、を含むことを特徴とする請求項４に記載の多面上映館モニタリング方法。
【請求項６】
前記エラー情報は、
前記投射関連装置のネットワークエラー情報、前記 投射装置自体のエラー情報、前記投射装置と連携したソフトウェアのエラー情報の少なくとも一つを含むことを特徴とする請求項４に記載の多面上映館モニタリング方法。
【請求項７】
前記投射領域を識別する段階は、
前記少なくとも一つ以上の投射領域と対応する投射装置が前記投射面に投射するコンテンツイメージのＲＧＢ値、イメージ内の所定のパターン、イメージの形状の少なくとも一つを用いて前記投射領域を識別することを特徴とする請求項２に記載の多面上映館モニタリング方法。
【請求項８】
前記モニタリング結果により、前記上映館に備えられた投射関連装置の作動を制御する段階をさらに含むことを特徴とする請求項１に記載の多面上映館モニタリング方法。
【請求項９】
前記投射面のイメージ情報を受信する段階は、
前記投射面の撮影時点と、既保存されたコンテンツ再生情報とを比較する段階と、
前記複数個の投射面のうち、副投射面にコンテンツが投射される時点ではない場合、
前記副投射面が含む少なくとも一つ以上の投射領域の平均ピクセル値と、前記投射面の基準ピクセル値とを比較する段階と、を含むことを特徴とする請求項３に記載の多面上映館モニタリング方法。
【請求項１０】
上映館内に配設された複数個の投射面に投射するコンテンツ情報をモニタリングする段階と、
前記モニタリングによる前記上映館情報を管理者端末に送信する段階と、を含むことを特徴とする多面上映館モニタリング方法。
【請求項１１】
前記コンテンツ情報をモニタリングする段階は、
少なくとも一つ以上の投射装置から実時間で前記複数個の投射面に投射するコンテンツの情報を受信する段階と、
前記実時間で受信したコンテンツをキャプチャし、前記少なくとも一つ以上の投射装置が投射するコンテンツのイメージ情報を得る段階と、
前記得られたイメージ情報の平均ピクセル値と、既保存された基準ピクセル値とを比較する段階と、を含むことを特徴とする請求項１０に記載の多面上映館モニタリング方法。
【請求項１２】
前記基準ピクセル値は、
前記少なくとも一つ以上の投射装置が投射するコンテンツのグレースケール値を基準として決定されることを特徴とする請求項１１に記載の多面上映館モニタリング方法。
【請求項１３】
前記得られたイメージ情報の平均ピクセル値が、既保存された基準ピクセル値と異なると、前記上映館内の投射関連装置のエラーを検出する段階を含み、
前記上映館のエラー情報及び前記エラー情報による対処方法を前記管理者端末に送信することを特徴とする請求項１１に記載の多面上映館モニタリング方法。
【請求項１４】
前記エラーを検出する段階は、
前記投射関連装置のネットワーク状態を確認する段階と、
前記投射装置の状態情報を確認する段階と、
前記投射装置が投射するコンテンツを管理する中央管制サーバのエラーを確認する段階と、を含むことを特徴とする請求項１３に記載の多面上映館モニタリング方法。
【請求項１５】
前記エラー情報は、
前記投射関連装置のネットワークエラー情報、前記投射装置自体のエラー情報、前記投射装置と連携したソフトウェアのエラー情報の少なくとも一つを含むことを特徴とする請求項１３に記載の多面上映館モニタリング方法。
【請求項１６】
前記実時間でコンテンツ情報を受信する段階は、
前記少なくとも一つ以上の投射装置とループスルーポートを用いて通信することを特徴とする請求項１１に記載の多面上映館モニタリング方法。
【請求項１７】
前記コンテンツのイメージ情報を得る段階は、
前記イメージ情報獲得時点と、既保存されたコンテンツ再生情報とを比較する段階と、
前記複数個の投射面のうち、副投射面に前記コンテンツが投射される時点ではない場合、前記 現在投射中のイメージ情報の平均ピクセル値と、前記既保存された基準ピクセル値とを比較する段階と、を含むことを特徴とする請求項１１に記載の多面上映館モニタリング方法。
【請求項１８】
前記モニタリング結果により、前記複数個の投射面と対応する投射装置の作動を制御する段階をさらに含むことを特徴とする請求項１に記載の多面上映館モニタリング方法。
【請求項１９】
単一の上映館内に配設された複数個の投射面と、
前記複数個の投射面にコンテンツを投射する投射装置と、
前記上映館の内部をモニタリングする中央管制サーバと、
前記中央管制サーバのモニタリング情報を受信する管理者端末と、を含み、
前記中央管制サーバは、
前記複数個の投射面に投射されるコンテンツのイメージ情報エラーが発生したら、前記管理者端末にエラー情報を送信することを特徴とする多面上映館モニタリングシステム。
【請求項２０】
前記複数個の投射面に対応して少なくとも一つ以上の投射装置を含み、
前記少なくとも一つ以上の投射装置が投射する投射領域が含まれた投射面を既設定された時間間隔毎に撮影する撮影装置をさらに含むことを特徴とする請求項１９に記載の多面上映館モニタリングシステム。
【請求項２１】
前記複数個の投射面に対応して少なくとも一つ以上の投射装置を含み、
前記中央管制サーバは、
前記少なくとも一つ以上の投射装置とループスルー方式で通信し、前記投射装置が投射するコンテンツ情報を受信し、前記受信したコンテンツ情報をモニタリングすることを特徴とする請求項１９に記載の多面上映館モニタリングシステム。
【請求項２２】
前記エラー情報は、
前記 投射関連装置のネットワークエラー情報、前記投射装置自体のエラー情報、前記投射装置と連携したソフトウェアのエラー情報の少なくとも一つを含むことを特徴とする請求項１９に記載の多面上映館モニタリングシステム。
【発明の詳細な説明】
【技術分野】
【０００１】
本発明は、複数個の投射面を備えた多面上映館において、コンテンツ再生を管理する上映館のモニタリング方法及びシステムに関する。
【背景技術】
【０００２】
最近では、映画上映技術の発達につれて、観客に立体感のある画像を提供する３Ｄ（３次元）画像に関する技術が開発されている。３Ｄ画像技術は、人間の左眼及び右眼に異なる画像が入り、２つの画像が脳において１枚に合わせられる場合、平面画像からも立体感が感じられるという原理を利用するものであり、画像の撮影に際して異なる偏光フィルタが取り付けられた２台のカメラを用い、画像の視聴に際して偏光フィルタ付き眼鏡などをかけて左眼および右眼に異なる画像が入るようにする。
【０００３】
しかしながら、このような３Ｄ技術は、ユーザに立体感のある画像を提供できるとはいえ、依然として単一のスクリーンにおいて再生される画像を鑑賞することに過ぎないため、画像それ自体への没入度が低いという限界があった。また、観客が感じる立体感の方向が単一のスクリーンが存在する方向に限定されてしまうという限界もあった。
【０００４】
さらに、従来の３Ｄ技術は、画像の視聴に際して偏光フィルタ付き眼鏡などをかけることを余儀なくされるが故に、画像を見る観客に不便さを与える虞があり、左眼及び右眼に人為的に異なる画像を強制的に注入するが故に敏感な観客は目眩いやむかつきを感じる虞があった。
【０００５】
この理由から、単一のスクリーンに基づく従来の上映システムの問題が解消可能ないわゆる多面上映システムが提案された。ここでいう多面上映システムとは、観客席の周りに複数の投射面を配設し、複数の投射面上において一枚の一体感のある画像を投射して、観客に立体感及び没入感を与える技術を意味する。
【０００６】
一方、多面上映システムは開発されつつあるが、現在製作されている殆どの映画コンテンツが単一のスクリーンにおいて再生されるタイプであるため、複数のスクリーンに一枚の一体感のあるコンテンツが円滑に投射されているかを確認し難いという短所があった。
【０００７】
しかも、増えていく多面上映館の数に比べて、多面上映館を専門的に管理する映写技師の数が足りないだけでなく、全ての多面上映館に専門の画像技師を配置することは、劇場の労働力管理の面で非効率的であるという問題があった。
【０００８】
したがって、劇場の労働力管理の効率化及び多面上映館の映写品質の向上のために、上映館システムが自動にモニタリングされ、これによって管理されるシステムの開発が望まれている。
【発明の概要】
【発明が解決しようとする課題】
【０００９】
本発明は、上映館内の複数のスクリーンを用いて、投射装置の正しいコンテンツ投射時点を制御することを目的とする。
【００１０】
本発明は、ユーザがコンテンツを視聴するにあたって不便さを感じない多面上映サービスを提供することを目的とする。
【００１１】
本発明は、コンテンツ投射のエラー状況においてこれを解決すべき情報を提供することにより、管理者が状況に応じて適切な対応を行うことができるようにする。
【００１２】
本発明の技術的課題は、上述した技術的課題に制限されず、言及されなかった他の技術的課題は、以下の記載に基づいて通常の技術者に明確に理解されるであろう。
【課題を解決するための手段】
【００１３】
本発明の上映館内に配設された複数個の投射面をモニタリングする段階と、前記モニタリングによる前記上映館の情報を管理者端末に送信する段階と、を含むことを特徴とする。
【００１４】
本発明の前記モニタリングする段階以前に、少なくとも一つ以上の投射領域を含む投射面を撮影し、前記投射面のイメージ情報を受信する段階と、前記受信したイメージ情報に基づいて、前記少なくとも一つ以上の投射領域を識別する段階と、前記受信したイメージ情報に基づいて、前記投射面の基準ピクセル値を設定する段階と、を含むことを特徴とする。
【００１５】
本発明の前記モニタリングする段階は、撮影装置が既設定された時間間隔毎に撮影した前記少なくとも一つ以上の投射領域を含む投射面のイメージ情報を受信する段階と、前記イメージ情報内で、前記少なくとも一つ以上の投射領域における平均ピクセル値と前記投射面の基準ピクセル値とを比較する段階と、を含むことを特徴とする。
【００１６】
本発明の前記少なくとも一つ以上の投射領域における平均ピクセル値が前記基準ピクセル値と異なると、前記上映館内の投射関連装置のエラーを検出する段階を含み、前記上映館のエラー情報及び前記エラー情報による対処方法を前記管理者端末に送信することを特徴とする。
【００１７】
本発明の前記エラーを検出する段階は、前記投射関連装置のネットワーク状態を確認する段階と、前記少なくとも一つ以上の投射領域と対応する投射装置の状態情報を確認する段階と、前記投射装置が投射するコンテンツを管理する中央管制サーバのエラーを確認する段階と、を含むことを特徴とする。
【００１８】
本発明の前記エラー情報は、前記投射関連装置のネットワークエラー情報、前記投射装置自体のエラー情報、前記投射装置と連携したソフトウェアのエラー情報の少なくとも一つを含むことを特徴とする。
【００１９】
本発明の前記投射領域を識別する段階は、前記少なくとも一つ以上の投射領域と対応する投射装置が前記投射面に投射するコンテンツイメージのＲＧＢ値、イメージ内の所定のパターン、イメージの形状の少なくとも一つを用いて前記投射領域を識別することを特徴とする。
【００２０】
本発明の前記モニタリング結果により、前記上映館に備えられた投射関連装置の作動を制御する段階をさらに含むことを特徴とする。
【００２１】
本発明の前記投射面のイメージ情報を受信する段階は、前記投射面の撮影時点と、既保存されたコンテンツ再生情報とを比較する段階と、前記複数個の投射面のうち、副投射面にコンテンツが投射される時点ではない場合、前記副投射面が含む少なくとも一つ以上の投射領域の平均ピクセル値と、前記投射面の基準ピクセル値とを比較する段階と、を含むことを特徴とする。
【００２２】
本発明の他の実施形態に係る多面上映館モニタリング方法は、上映館内に配設された複数個の投射面に投射するコンテンツ情報をモニタリングする段階と、前記モニタリングによる前記上映館情報を管理者端末に送信する段階と、を含むことを特徴とする。
【００２３】
本発明の前記コンテンツ情報をモニタリングする段階は、少なくとも一つ以上の投射装置から実時間で前記複数個の投射面に投射するコンテンツの情報を受信する段階と、前記実時間で受信したコンテンツをキャプチャし、前記少なくとも一つ以上の投射装置が投射するコンテンツのイメージ情報を得る段階と、前記得られたイメージ情報の平均ピクセル値と、既保存された基準ピクセル値とを比較する段階と、を含むことを特徴とする。
【００２４】
本発明の前記基準ピクセル値は、前記少なくとも一つ以上の投射装置が投射するコンテンツのグレースケール値を基準として決定されることを特徴とする。
【００２５】
本発明の前記得られたイメージ情報の平均ピクセル値が、既保存された基準ピクセル値と異なると、前記上映館内の投射関連装置のエラーを検出する段階を含み、前記上映館のエラー情報及び前記エラー情報による対処方法を前記管理者端末に送信することを特徴とする。
【００２６】
本発明の前記エラーを検出する段階は、前記投射関連装置のネットワーク状態を確認する段階と、前記投射装置の状態情報を確認する段階と、前記投射装置が投射するコンテンツを管理する中央管制サーバのエラーを確認する段階と、を含むことを特徴とする。
【００２７】
本発明の前記エラー情報は、前記投射関連装置のネットワークエラー情報、前記投射装置自体のエラー情報、前記投射装置と連携したソフトウェアのエラー情報の少なくとも一つを含むことを特徴とする。
【００２８】
本発明の前記実時間でコンテンツ情報を受信する段階は、前記少なくとも一つ以上の投射装置とループスルーポートを用いて通信することを特徴とする。
【００２９】
本発明の前記コンテンツのイメージ情報を得る段階は、前記イメージ情報獲得時点と、既保存されたコンテンツ再生情報とを比較する段階と、前記複数個の投射面のうち、副投射面に前記コンテンツが投射される時点ではない場合、前記現在投射中のイメージ情報の平均ピクセル値と、前記既保存された基準ピクセル値とを比較する段階と、を含むことを特徴とする。
【００３０】
本発明の前記モニタリング結果により、前記複数個の投射面と対応する投射装置の作動を制御する段階をさらに含むことを特徴とする。
【００３１】
本発明の多面上映館モニタリングシステムは、単一の上映館内に配設された複数個の投射面と、前記複数個の投射面にコンテンツを投射する投射装置と、前記上映館の内部をモニタリングする中央管制サーバと、前記中央管制サーバのモニタリング情報を受信する管理者端末と、を含み、前記中央管制サーバは、前記複数個の投射面に投射されるコンテンツのイメージ情報エラーが発生したら、前記管理者端末にエラー情報を送信することを特徴とする。
【００３２】
本発明の前記複数個の投射面に対応して少なくとも一つ以上の投射装置を含み、前記少なくとも一つ以上の投射装置が投射する投射領域が含まれた投射面を既設定された時間間隔毎に撮影する撮影装置をさらに含むことを特徴とする。
【００３３】
本発明の前記複数個の投射面に対応して少なくとも一つ以上の投射装置を含み、前記中央管制サーバは、前記少なくとも一つ以上の投射装置とループスルー方式で通信し、前記投射装置が投射するコンテンツ情報を受信し、前記受信したコンテンツ情報をモニタリングすることを特徴とする。
【００３４】
本発明の前記エラー情報は、前記投射関連装置のネットワークエラー情報、前記投射装置自体のエラー情報、前記投射装置と連携したソフトウェアのエラー情報の少なくとも一つを含むことを特徴とする。
【発明の効果】
【００３５】
本発明によれば、上映館の内部環境情報を用いて複数のスクリーンに正しい投射が行われるかを確認することができる。
【００３６】
本発明によれば、多面上映館を管理する専門家を配置しなくても、多面上映館を効果的に管理することができる。
【００３７】
本発明によれば、複数のスクリーンにおいて突然なエラーが発生しても、それを迅速に感知し制御して、観客が不便さを感じない上映サービスを提供することができる。
【００３８】
本発明の効果は、上述した効果に制限されず、言及されなかった他の効果は、以下の記載に基づいて当業者に明確に理解されるであろう。
【図面の簡単な説明】
【００３９】
【図１】本発明に係る多面上映館モニタリングシステムの構成を示す概略図である。
【図２】本発明に係る上映館モニタリング方法を行う中央管制サーバの構成を示す図である。
【図３】本発明の第１実施形態に係る多面上映館モニタリング方法の一部を示す順序図である。
【図４】本発明の第１実施形態に係る多面上映館モニタリング方法の一部を示す順序図である。
【図５】本発明の第１実施形態に係る多面上映館モニタリング方法において、複数個の投射面を使用しなかった時点のモニタリング方法を示す順序図である。
【図６】本発明の第２実施形態に係る多面上映館モニタリング方法の一部を示す順序図である。
【図７】本発明の第２実施形態に係る多面上映館モニタリング方法の一部を示す順序図である。
【図８】本発明の第２実施形態に係る多面上映館モニタリング方法において、複数個の投射面を使用しなかった時点のモニタリング方法を示す順序図である。
【発明を実施するための形態】
【００４０】
以下、本発明の技術的思想を明確にするために、添付された図面を参照して、本発明の好適な実施形態について詳述する。本発明を説明するに当たって、関連した公知機能または構成要素についての具体的な説明が本発明の要旨を曖昧にすると判断される場合は、その詳細な説明を省略する。図面において、実質的に同一の機能構成を有する構成要素に対しては、たとえ他の図面上に表れても、できる限り同一の参照番号及び符号を付与した。説明の便宜のため、必要に応じて装置と方法を一緒に記述する。
【００４１】
図１は、本発明に係る多面上映館モニタリングシステムの構成を示す概略図である。図１を参照すると、本発明に係る多面上映館モニタリングシステム１０は、複数個の投射面１１０、１２０、１３０、投射装置２００、中央管制サーバ３００、及び管理者端末４００を備える。
【００４２】
多面上映館モニタリングシステム１０が適用される上映館は、複数個の投射面が存在する多面上映館であってもよい。このとき、複数個の投射面は、上映館内部の座席を基準して正面に存在する主投射面１１０と、主投射面１１０の左右側面に副投射面１２０、１３０とを有する。また、上映館内部の天井、床面を活用した副投射面をさらに有し、観客のコンテンツへの没入感を増大させることができる。
【００４３】
一方、本発明に係る多面上映館モニタリングシステム１０は、上映館外部のサーバをさらに備える。ここで、外部サーバとは、広範囲な地域に存在する複数の上映館を統合管理するサーバである。
【００４４】
投射装置２００は、上映館内の投射面にコンテンツを投射し、複数個の投射面が存在することにより、複数個の投射装置２００が上映館内に備えられる。
【００４５】
実施形態によって、投射装置２００は、上映館内の一つの投射面に複数個が対応して設置され、一つの投射面に一つの投射装置２００が対応して設置される。
【００４６】
また、本発明において、投射装置２００は、画像を投射する投射面に対向する方向に設置される。また、実施形態によって、投射装置２００は、上映館の天井に設置され、投射装置２００の前面に鏡を取り付け、鏡の角度を調節して配設された投射面に画像が投射されるように設定する。投射装置２００配設する方式は、本明細書に記載の内容に限定されず、投射装置２００から投射される画像が、投射面から再生される様々な配設構造を全て含んでもよい。
【００４７】
中央管制サーバ３００は、多面上映館の内部と多面上映館に備えられた上映関連装置の状態をモニタリングする。実施形態によって、多面上映館に備えられた上映関連装置は、少なくとも一つ以上の投射装置２００、投射装置２００のコンテンツ投射と連携したサーバ、上映のために実行される再生ソフトウェアなどである。実施形態によって、再生ソフトウェアは、サーバにインストールして実行される。併せて、投射装置２００のコンテンツ投射と連携したサーバは、複数個のサーバで構成され、実施形態によって単一のサーバで構成されてもよい。
【００４８】
また、多面上映館の内部をモニタリングするために、多面上映館モニタリングシステム１０は、上映館の内部を撮影する撮影装置（図示せず）をさらに備える。
【００４９】
撮影装置は、写真撮影可能な光学機器を意味するものであって、本発明における撮影装置は、複数個の投射面１１０〜１３０にコンテンツが正しく投射されているかを確認するために用いられる。
【００５０】
これによって、撮影装置の解像度は、投射装置２００の解像度、上映館の面積、投射装置２００の個数に基づいて決定される。また、撮影装置は、複数個の投射面１１０〜１５０を撮影するように上映館の内側領域に配設され、上映館のような暗い空間でもイメージが得られる多様なフィルタを有する。また、実施形態によって、解像度の低い複数個の撮影装置を用いて投射面１１０〜１５０を撮影する。
【００５１】
本発明によると、撮影装置は、異なる幅及び高さを有する投射面を撮影するために、数種のレンズを有している。
【００５２】
本発明において、中央管制サーバ３００は、単一の上映館内に備えられたそれぞれの装備から、一定の周期または実時間で装備の状態情報を受信する。
【００５３】
また、中央管制サーバ３００は、投射装置２００とループスルー方式で連結され、投射装置２００が投射するコンテンツ情報を実時間で受信する。
【００５４】
実時間で受信したコンテンツ情報は、中央管制サーバ３００に設けられた画像キャプチャ部（図示せず）を介してイメージ情報を得る。画像キャプチャ部は、映画、広告コンテンツの画像情報をキャプチャする機能を行う。
【００５５】
本発明の多面上映館モニタリングシステム１０は、多面上映館に適用されるが、画像キャプチャ部は、一回のキャプチャにより、少なくとも一つ以上の投射装置２００が投射面に投射するコンテンツのイメージ情報をキャプチャし、それを投射装置２００の識別番号と一緒にデータベース３３０に保存する。
【００５６】
例えば、画像キャプチャ部３２０は、中央管制サーバ３００に取り付けられたキャプチャボードを用いてコンテンツの画像情報をキャプチャする。
【００５７】
また、実施形態によって、中央管制サーバ３００は、既設定された編成スケジュールにより、外部から受信したコンテンツを特定時刻に、特定の上映館で、特定時間の間、再生し、既設定された編成スケジュールとコンテンツは、データベースに保存される。このようにデータベース３３０は、中央管制サーバ３００が管理する全ての情報を保存可能な記録媒体である。
【００５８】
本発明において、中央管制サーバ３００は、コンテンツ配給サーバのような外部サーバ（図示せず）から、ＫＤＭ（ｋｅｙ  Ｄｅｌｉｖｅｒｙ  Ｍｅｓｓａｇｅ）を受信するが、ＫＤＭとは、コンテンツの保存及び上映を管理するためのコンテンツ保安データであって、中央管制サーバ３００は、ＫＤＭが適法に受信された場合に限って、中央管制サーバ３００内に保存されたコンテンツを再生する。
【００５９】
また、本発明によると、中央管制サーバ３００とネットワークを介して連結される外部サーバは、複数個の上映館を管理監督する。ここで、複数個の上映館は多面上映館であってもよく、多面上映館内にエラーが発生したら、それぞれの多面上映館と対応する中央管制サーバ３００からエラー情報を受信する。
【００６０】
実施形態によって、外部サーバには、多面上映館内において発生するエラーと、これによる対応マニュアルがデータベースに保存されており、中央管制サーバ３００からエラー情報を受信したら、これによる対処方法とエラー情報を当該上映館の管理者に送信する。それを行うために、外部サーバには、各多面上映館別の管理者の個人情報が保存されている。
【００６１】
併せて、このようなエラーログ及び対応ログも、外部サーバのデータベースに保存されており、同一の問題により、上映館内の問題状況が発生することが予防される。
【００６２】
また、本発明の中央管制サーバ３００は、中央管制サーバ３００と通信する装備のエラーが発生し、または投射過程でエラーが発生したら、エラー情報を多面上映館モニタリングシステム１０における管理者端末４００に送信する。
【００６３】
実施形態によって、中央管制サーバ３００は、多面上映館内部のエラーが発生したら、エラーが発生した装置を制御及び管理する。また、多面上映館モニタリングシステム１０を管理する管理者の管理者端末４００から制御命令を受信し、制御命令によって中央管制サーバ３００内における構成要素の動作を制御する。
【００６４】
管理者端末４００は、多面上映館を担当する管理者が有する端末であって、管理者端末４００の識別情報は、中央管制サーバ３００のデータベースに保存され、多面上映館のエラーを感知したら、直ちに管理者端末４００を介して管理者に報知する。
【００６５】
実施形態によって、管理者端末４００は、パソコン、スマートフォン、タブレットなどの中央管制サーバ３００から情報を受信して確認可能な無線ネットワークが可能な電子装置であってもよい。
【００６６】
以下、第１実施形態に係る多面上映館モニタリング方法について説明する。
【００６７】
図２は、本発明に係る上映館モニタリング方法を行う中央管制サーバの構成を示す図であり、図３は、本発明の第１実施形態に係る多面上映館モニタリング方法の一部を示す順序図であり、図４は、本発明の第１実施形態に係る多面上映館モニタリング方法の一部を示す順序図である。図２乃至図４を参照すると、中央管制サーバ３００が多面上映館内に配設された複数個の投射面１１０〜１３０をモニタリングし、モニタリングによる上映館の情報を管理者端末４００に送信する（Ｓ３１０、Ｓ３２０）。
【００６８】
上映館内に配設された複数個の投射面１１０〜１３０のうち、主投射面１１０の左右側面に配設された副投射面１２０、１３０は、面積が広いので、コンテンツを投射するためには、少なくとも一つ以上の投射装置２００が用いられる。
【００６９】
これにより、中央管制サーバ３００が、複数個の投射面１１０〜１３０のモニタリングを行う前に、副投射面１２０、１３０と対応する少なくとも一つ以上の投射装置２００を識別する過程が必要である。
【００７０】
このため、撮影装置は、副投射面１２０、１３０上に複数個の投射領域２１０が投射された投射面のイメージを撮影し、中央管制サーバ３００は、撮影された投射面のイメージ情報を受信する。
【００７１】
撮影装置が得た投射面のイメージは、例えば、図２に示す通りである。中央管制サーバ３００は、複数個の投射領域２１０ａ、２１０ｂ、２１０ｃ、２１０ｄと対応する投射装置２００に異なるコンテンツが投射されるように設定し、複数個の投射領域２１０ａ、２１０ｂ、２１０ｃ、２１０ｄを識別する。
【００７２】
実施形態により、投射装置２００が投射するコンテンツは、白色と黒色のラインが交互に現れるパターン、異なるＲＧＢ値を有するイメージなどである。ここに、中央管制サーバ３００のデータベースは、複数個の投射領域２１０ａ、２１０ｂ、２１０ｃ、２１０ｄの識別情報を保存する。
【００７３】
また、撮影装置から投射面を受信する過程は、多面上映館モニタリング過程において基準値を設定するために活用される。実施形態によって、中央管制サーバ３００は、一つの副投射面１２０、１３０に対応する少なくとも一つ以上の投射装置２００が黒色を投射するように設定される。
【００７４】
例えば、一つの投射面に対応する投射装置２００が４つであると、投射面上に複数個の投射領域２１０ａ、２１０ｂ、２１０ｃ、２１０ｄが、図２のように重畳して表示される。
【００７５】
これにより、撮影装置は、複数個の投射装置２００が黒色を投射した投射面のイメージを撮影し、イメージ情報を中央管制サーバ３００に送信する。中央管制サーバ３００は、先に識別した複数個の投射領域２１０ａ、２１０ｂ、２１０ｃ、２１０ｄに基づいてそれぞれの領域において全体ピクセルの平均値を計算する。
【００７６】
このとき、ピクセル値は、各ピクセルのＲＧＢ値であり、８ビットと定義される場合、０〜２５５までのグレースケール値を有する。例えば、黒／白を基準として示すと、黒色を示すものが０に近く、白色を示すものが２５５に近い。
【００７７】
実施形態によって、中央管制サーバ３００は、複数個の投射領域２１０ａ、２１０ｂ、２１０ｃ、２１０ｄのそれぞれの全体ピクセルのＲＧＢ値の平均がＡ、Ｂ、Ｃ、Ｄであると、投射面の基準ＲＧＢ値を（Ａ＋Ｂ＋Ｃ＋Ｄ）／４と設定する。
【００７８】
基準値が設定されてから、中央管制サーバ３００は、多面上映館においてコンテンツが再生される間、多面上映館のモニタリングを行う。
【００７９】
コンテンツの上映が始まると、中央管制サーバ３００は、撮影装置から投射面が撮影されたイメージを既設定された時間間隔毎に受信する（Ｓ３１１）。ここで、投射面は、少なくとも一つ以上の投射領域を含み、投射領域の個数及びイメージに基づいて基準ピクセル値が設定されている。
【００８０】
本発明において、撮影装置が撮影する投射面は、複数個の投射装置２００が対応される副投射面１２０、１３０である。
【００８１】
また、本発明において、多面上映館内に備えられた撮影装置が、コンテンツが上映される間、絶えず撮影して投射現況を確認してもよいが、これを行うためには、多くの中央管制サーバ３００において多くの演算量を求めて過負荷がかかることもあり得る。また、著作権の問題により、コンテンツを一定の基準以上のＦＰＳ（ｆｒａｍｅｓ  ｐｅｒ  ｓｅｃｏｎｄ）で撮影することが禁止されているため、絶えず撮影を行うことができないのが実状である。
【００８２】
これにより、撮影装置は、多面上映館モニタリングシステム１０の管理者が設定した時間間隔毎に複数個の投射面１１０〜１３０に投射されるコンテンツを撮影する。
【００８３】
例えば、既設定された時間間隔は、１５秒、３０秒などであってもよく、中央管制サーバ３００は、このような時間間隔毎に撮影されたイメージに基づいてコンテンツの投射現況を把握する。
【００８４】
また、実施形態によって、撮影装置が複数個の投射面１１０〜１３０を撮影する時点は、中央管制サーバ３００の制御命令で設定される。より具体的には、上述したように、中央管制サーバ３００と複数個の投射装置２００がループスルー方式で連結されると、中央管制サーバ３００は、複数個の投射装置２００の動作及び投射するコンテンツ情報を把握し、これに基づいて制御命令を生成する。
【００８５】
本発明において、撮影装置が複数個の投射面１１０〜１３０を撮影し、これに関する判断を行うのに先立って、中央管制サーバ３００は、コンテンツ再生情報を用いて、現在投射するコンテンツが複数個の投射面１１０〜１３０を用いる時点であるかを把握する。
【００８６】
中央管制サーバ３００は、少なくとも一つ以上の投射領域のそれぞれの全体ピクセル値を算出し、これを基準ピクセル値と比較する（Ｓ３１２）。これにより、算出した投射領域のピクセル値、すなわち、当該投射装置２００が投射するコンテンツイメージのピクセル値が、基準ピクセル値よりも大きければ、中央管制サーバ３００の当該投射装置２００が投射する副投射面１２０、１３０に画像が正しく投射されているという正常上映の判定をする（Ｓ３１３１）。
【００８７】
これに対して、投射装置２００が投射するコンテンツイメージのピクセル値が、基準ピクセル値よりも小さければ、中央管制サーバ３００は、当該投射装置２００が投射する副投射面１２０、１３０に画像が正しく投射されていないという再生不可の判定をする（Ｓ３１３２）。これは、副投射面１２０、１３０にコンテンツが投射されておらず、またははっきりとせず、ぼやけて見える状況である。
【００８８】
再生不可と判定されてから、中央管制サーバ３００は、多面上映館内のエラーを検出するために、いくつかの過程を経る。実施形態によって、中央管制サーバ３００は、投射装置状態モードを用いて多面上映館内のエラーを検出する。
【００８９】
中央管制サーバ３００は、投射関連装置のネットワーク状態を確認する（Ｓ３１４）。このため、中央管制サーバ３００は、投射装置２００及び投射装置２００と連携したスレーブサーバにネットワーク認識確認メッセージを送信する。ネットワーク認識確認メッセージを送信し、既設定された時間の間、投射装置２００及びスレーブサーバからこれに対するＡｃｋ（Ａｃｋｎｏｗｌｅｄｅｍｅｎｔ）信号を受信しなければ、中央管制サーバ３００は、投射関連装置のネットワークエラーを判断する。
【００９０】
より具体的に、投射装置２００からＡｃｋ信号を受信していなければ、中央管制サーバ３００は、投射装置２００のネットワーク端子エラーまたは投射装置２００の電源ケーブルエラーであると判断する。
【００９１】
また、中央管制サーバ３００が投射関連装置からＡｃｋ信号を受信したら、投射領域と対応する投射装置２００の状態情報を確認する（Ｓ３１５）。このため、中央管制サーバ３００は、投射装置２００に設けられた装備の状態確認メッセージを送信する。例えば、投射装置２００に設けられたランプ寿命の残存量を確認するメッセージ、ランプの作動時間を確認するメッセージ、投射装置２００に設けられたファンのエラー確認メッセージ、吸引口温度確認メッセージ、投射装置２００に設けられた発光モジュール（例えば、レーザ）のエラー確認メッセージなどがある。投射装置２００は、中央管制サーバ３００の状態確認メッセージに対応する情報を提供し、中央管制サーバ３００は、これに基づいてエラー情報を確認する。
【００９２】
一方、中央管制サーバ３００は、サーバ自体のエラーを確認する（Ｓ３１６）。これは、中央管制サーバ３００に設けられた再生ソフトウェアを確認する過程であってもよく、インストールされた再生ソフトウェアにおけるデータベースの保存エラーまたは再生ソフトウェアモジュールのエラーなどがある。
【００９３】
本発明において、多面上映館モニタリングシステム１０内で多く発生するエラーは、投射関連装置のネットワークエラー情報、投射装置２００自体のエラー情報、ソフトウェアエラー情報の少なくとも一つである。
【００９４】
中央管制サーバ３００は、一連のエラー検出過程を行い、検出されたエラー情報をエラーコードに分類する（Ｓ３１７）。これによって分類されたエラーコードをデータベースに保存されたエラーコードとマッチし、データベースにおいてエラー情報及びエラーに対する対処方法を得ることができる。例えば、投射装置２００に設けられたファンでエラーが発生したエラーコードがＥＲＲＯＲ００１となり、中央管制サーバ３００のデータベースから、ＥＲＲＯＲ００１とマッチされるエラー情報（ファン駆動エラー）及び対処方法（投射装置のコールドブートまたはファンの交換）が得られる。
【００９５】
得られたエラー情報及び対処方法は、管理者端末４００に直ちに送信され、中央管制サーバ３００は、エラー情報と対応過程、及び多面上映館内にコンテンツが上映される間、発生した全ての状況に対するログをデータベースに保存える（Ｓ３２１、Ｓ３１８）。
【００９６】
例えば、エラー情報がデータベースに保存されると、「ＣＧＶサングアム、６館、１回次映画再生不可、３番投射装置エラー、ファンエラー、ファン交換要」のような情報が保存される。また、これらの情報は、二進数形式のコードまたは数字と英文字が混合されたコードでデータベースに保存され、中央管制サーバ３００がエラーへの対応情報を直ちに把握するようになる。
【００９７】
また、本発明において、中央管制サーバ３００は、再生不可と判定されたら、データベースから、再生不可と判定された多面上映館に勤める人の管理者端末４００の情報を得て、エラー情報及び対処方法を当該管理者端末４００に送信する。
【００９８】
図５は、本発明の第１実施形態に係る多面上映館モニタリング方法において、複数個の投射面を使用しなかった時点のモニタリング方法を示す順序図である。図５を参照すると、上述した過程は、上映館内に配設された複数個の投射面が全て使われる多面上映館である場合に適用される方法であって、多面上映区間ではない場合も、中央管制サーバ３００は、副投射面１２０、１３０をモニタリングすることができる。
【００９９】
中央管制サーバ３００は、撮影装置から投射面が撮影されたイメージを既設定された時間間隔毎に受信し、受信したイメージ情報において投射面を撮影した時点と、既保存されたコンテンツ再生情報を比較する（Ｓ５１０）。
【０１００】
ここで、既保存されたコンテンツ再生情報は、投射装置が投射するコンテンツの再生時間と対応するイメージフレームまたはイメージファイル情報である。
【０１０１】
より具体的には、コンテンツは、投射装置２００を使って１秒毎に２４枚のフレームで連続的に投射される。これによって、フレームは、時間に関するタイムコード情報を有し、中央管制サーバ３００は、撮影装置から受信したコンテンツのイメージと保存されたタイムコードを比較するようになる。
【０１０２】
例えば、タイムコード情報は、多面上映のために作製された画像ファイルのメタデータに保存され、外部からコンテンツと一緒に別途に受信したその他のファイル形式（ｘｍｌ、ｔｘｔ）の情報である。
【０１０３】
これによって、副投射面１２０、１３０にコンテンツが投射される時点ではなければ、現在副投射面に投射されている少なくとも一つ以上の投射領域における全体の平均ピクセル値と基準ピクセル値を比較する（Ｓ５２０）。
【０１０４】
実施形態によって、基準ピクセル値は、副投射面１２０、１３０にコンテンツが投射される多面上映区間である場合に設定した基準ピクセル値と同一である。
【０１０５】
中央管制サーバ３００は、副投射面１２０、１３０に含まれた投射領域、すなわち、当該投射装置２００が投射するコンテンツイメージのピクセル値と基準ピクセル値を比較する（Ｓ５３０）。比較結果によって、基準ピクセル値よりも大きければ、中央管制サーバ３００は、当該投射装置２００が副投射面１２０、１３０に正しく投射されていないという再生不可の判定をする（Ｓ５３０１）。
【０１０６】
これに対して、投射装置２００が投射するコンテンツイメージのピクセル値が基準ピクセル値よりも小さければ、当該投射装置２００が副投射面１２０、１３０上において正しく動作しているという正常上映の判定をする（Ｓ５３０２）。
【０１０７】
副投射面１２０、１３０にコンテンツが投射される時点でなければ、再生不可と判定された場合、中央管制サーバ３００は、サーバ自体のエラー検査を行い、エラー検査によるエラー情報及び対応方法を送信及び保存する過程は、上述した過程と同様に行われる。
【０１０８】
一方、上述した過程は、多面上映館モニタリングシステム１０に撮影装置を備え、これを用いた方法であって、後述する多面上映モニタリング方法は、撮影装置を備えていないときにモニタリングを行う方法に関するものである。
【０１０９】
図６は、本発明の第２実施形態に係る多面上映館モニタリング方法の一部を示す順序図であり、図７は、本発明の第２実施形態に係る多面上映館モニタリング方法の一部を示す順序図である。図６及び図７を参照すると、中央管制サーバ３００が上映館内に配設された複数個の投射面に投射するコンテンツ情報をモニタリングし、モニタリングによる上映館情報を管理者端末４００に送信する（Ｓ６１０、Ｓ６２０）。
【０１１０】
コンテンツの上映が始まると、中央管制サーバ３００は、多面上映館モニタリングシステム１０内に配設された少なくとも一つ以上の投射装置２００から実時間で複数個の投射面１１０〜１３０に投射するコンテンツの情報を受信する（Ｓ６１１）。
【０１１１】
このとき、中央管制サーバ３００と投射装置２００は、ループスルーポートを用いて通信し、これにより、少なくとも一つ以上の投射装置２００が実時間で投射するコンテンツ情報を中央管制サーバ３００で把握する。
【０１１２】
中央管制サーバ３００は、実時間で受信したコンテンツをキャプチャし、投射装置２００が投射するコンテンツのイメージ情報を得る（Ｓ６１２）。実施形態によって、中央管制サーバ３００に設けられたキャプチャボードを使ってコンテンツをキャプチャしてイメージを得て、一回のキャプチャにより、多面上映館に備えられた投射装置２００の現在投射中のコンテンツのイメージ情報を得ている。
【０１１３】
中央管制サーバ３００は、得られたイメージ情報の全体の平均ピクセル値と基準ピクセル値を比較する（Ｓ６１３）。ここで、基準ピクセル値は、投射装置２００がいずれの画像も投射しなかった状態、すなわち、黒色を投射する場合、一つのフレームのピクセル値であってもよい。これは、ＲＧＢを８ビットと定義するとき、（０，０，０）であり、これを基準ピクセル値に設定する。
【０１１４】
比較結果によって、得られたイメージ情報の全体の平均ピクセル値が基準ピクセル値よりも大きければ、副投射面１２０、１３０と対応する投射装置２００が正しく動作し、これによる正常上映の判定をする（Ｓ６１３１）。
【０１１５】
これに対して、得られたイメージ情報の全体の平均ピクセル値が基準ピクセル値よりも小さければ、当該投射装置２００が副投射面１２０、１３０に正しく投射されていないという再生不可の判定をする（Ｓ６１３２）。これは、当該投射装置２００が黒色のイメージのみを投射するものと判断される。
【０１１６】
また、投射装置２００のコンテンツ投射時点が、所定時間だけ早くまたは遅い場合であってもよい。
【０１１７】
再生不可と判定されてから、中央管制サーバ３００は、多面上映館内のエラーを検出するために、いくつかの過程を経る。実施形態によって、中央管制サーバ３００は、投射装置状態モードを用いて多面上映館内のエラーを検出する。
【０１１８】
中央管制サーバ３００は、投射装置のネットワーク状態を確認する（Ｓ６１４）。このため、中央管制サーバ３００は、投射装置２００及び投射装置２００と連携したスレーブサーバにネットワーク認識確認メッセージを送信する。ネットワーク認識確認メッセージを送信し、既設定された時間の間、投射装置２００及びスレーブサーバからこれに対するＡｃｋ（Ａｃｋｎｏｗｌｅｄｇｅｍｅｎｔ）信号を受信しなければ、中央管制サーバ３００は、投射関連装置のネットワークエラーを判断する。
【０１１９】
より具体的に、投射装置２００からＡｃｋ信号を受信していなければ、中央管制サーバ３００は、投射装置２００のネットワーク端子エラーまたは投射装置２００の電源ケーブルエラーであると判断する。
【０１２０】
また、中央管制サーバ３００が投射関連装置からＡｃｋ信号を受信したら、投射領域と対応する投射装置２００の状態情報を確認する（Ｓ６１５）。このため、中央管制サーバ３００は、投射装置２００に設けられた装備の状態確認メッセージを送信する。例えば、投射装置２００に設けられたランプ寿命の残存量を確認するメッセージ、ランプの作動時間を確認するメッセージなどがある。投射装置２００は、中央管制サーバ３００の状態確認メッセージに対応する情報を提供し、中央管制サーバ３００は、これに基づいてエラー情報を確認する。
【０１２１】
一方、中央管制サーバ３００は、サーバ自体のエラーを確認する（Ｓ６１６）。これは、中央管制サーバ３００にインストールされた再生ソフトウェアを確認する過程であってもよく、インストールされた再生ソフトウェアにおけるデータベースの保存エラーまたは再生ソフトウェアモジュールのエラー、中央管制サーバ３００にインストールされたソフトウェア間のクラッシュによる強制終了などがある。
【０１２２】
本発明において、多面上映館モニタリングシステム１０内で多く発生するエラーは、投射関連装置のネットワークエラー情報、投射装置２００自体のエラー情報、投射装置２００の電源ケーブルエラー情報、投射装置２００のコンテンツ投射時間差情報、投射装置２００と連携したソフトウェアエラー情報の少なくとも一つである。
【０１２３】
中央管制サーバ３００は、一連のエラー検出過程を行い、検出されたエラー情報をエラーコードに分類する（Ｓ６１７）。これによって分類されたエラーコードをデータベースに保存されたエラーコードとマッチし、データベースにおいてエラー情報及びエラーに対する対処方法を得ることができる。例えば、投射装置２００に設けられたファンでエラーが発生したエラーコードがＥＲＲＯＲ００１となり、中央管制サーバ３００のデータベースから、ＥＲＲＯＲ００１とマッチされるエラー情報（ファン駆動エラー）及び対処方法（ファンの交換）が得られる。
【０１２４】
得られたエラー情報及び対処方法は、管理者端末４００に直ちに送信され、中央管制サーバ３００は、エラー情報と対応過程、及び多面上映館内にコンテンツが上映される間、発生した全ての状況に対するログをデータベースに保存える（Ｓ６２１、Ｓ６１８）。
【０１２５】
例えば、エラー情報がデータベースに保存されると、「ＣＧＶサングアム、６館、１回次映画再生不可、２番投射装置エラー、ランプエラー、ランプ交換要」のように保存される。
【０１２６】
また、本発明において、中央管制サーバ３００は、再生不可と判定されたら、データベースから、再生不可と判定された多面上映館に勤める人の管理者端末４００の情報を得て、エラー情報及び対処方法を当該管理者端末４００に送信する。
【０１２７】
図８は、本発明の第２実施形態に係る多面上映館モニタリング方法において、複数個の投射面を使用しなかった時点のモニタリング方法を示す順序図である。図８を参照すると、上述した過程は、上映館内に配設された複数個の投射面が全て使われる多面上映館である場合に適用される方法であって、多面上映区間ではない場合も、中央管制サーバ３００は、副投射面１２０、１３０と対応する投射装置２００をモニタリングすることができる。
【０１２８】
中央管制サーバ３００は、キャプチャ補助装置（例えば、キャプチャボード）を用いて、既設定された時間間隔毎に投射装置２００が投射するコンテンツのイメージ情報を得て、イメージ情報獲得時点と、既保存されたコンテンツ再生情報を比較する（Ｓ８１０）。
【０１２９】
ここで、既保存されたコンテンツ再生情報は、投射装置が投射するコンテンツの再生時間と対応するイメージフレームまたはイメージファイル情報である。
【０１３０】
より具体的には、コンテンツは、投射装置２００を使って１秒毎に２４枚のフレームで連続的に投射される。これによって、それぞれのフレームは、時間に関するタイムコード情報を有し、中央管制サーバ３００は、撮影装置から受信したコンテンツのイメージと保存されたタイムコードを比較するようになる。
【０１３１】
例えば、タイムコード情報は、多面上映のために作製された画像ファイルのメタデータに保存され、外部からコンテンツと一緒に別途に受信したその他のファイル形式（ｘｍｌ、ｔｘｔ）の情報である。
【０１３２】
これによって、副投射面１２０、１３０にコンテンツが投射される時点ではなければ、中央管制サーバ３００は、現在投射中のイメージ情報の全体の平均ピクセル値と基準ピクセル値を比較する（Ｓ８２０）。
【０１３３】
実施形態によって、基準ピクセル値は、副投射面１２０、１３０にコンテンツが投射される多面上映区間である場合に設定した基準ピクセル値と同一の（０，０，０）である。
【０１３４】
比較結果によって、基準ピクセル値よりも大きければ、中央管制サーバ３００は、当該投射装置２００が副投射面１２０、１３０に正しく投射されていないという再生不可の判定をする（Ｓ８２０１）。
【０１３５】
これに対して、投射装置２００が現在投射するコンテンツイメージ情報の全体の平均ピクセル値が基準ピクセル値よりも小さければ、当該投射装置２００が副投射面１２０、１３０上において正しく動作しているという正常上映の判定をする（Ｓ８２０２）。
【０１３６】
副投射面１２０、１３０にコンテンツが投射される時点でなければ、再生不可と判定された場合、中央管制サーバ３００は、サーバ自体のエラー検査を行い、エラー検査によるエラー情報及び対応方法を送信及び保存する過程は、上述した過程と同様に行われる。
【０１３７】
また、本発明において、中央管制サーバ３００が、投射面のピクセル値を測定すること以外に、多面上映館モニタリングシステム１０の管理者がコンテンツを上映する間、複数個の投射面１１０〜１５０を認識し、これと対応する投射装置２００の正常、非正常の判断をすることができる。
【０１３８】
このように、中央管制サーバ３００は、コンテンツが上映される間、複数個の投射面１１０〜１５０に多面上映サービスが提供されているかを確認し、確認された情報を多面上映館モニタリングシステム１０を管理する管理者に報知する。
【０１３９】
中央管制サーバ３００がエラーによる投射装置２００の対応マニュアルを提供することにより、コンテンツが投射される間、当該上映館を管理する管理者は、対応マニュアルによって投射装置２００または上映館内の装備を制御する。これにより、コンテンツを視聴する観客の不便さを解消することができる。
【０１４０】
一方、上述した全てのデータ情報は、中央管制サーバ３００のデータベースに保存され、多面上映館内において、管理者がコンテンツが上映される間、当該問題を解決しなかった場合、専門家が保存された情報を提供してエラー事項を直すようにする。
【０１４１】
また、全てのデータ情報は、経時により記録され、本発明において全ての情報は、一つの統一した規格で生成される。
【０１４２】
以上、図示された好適な実施形態を中心として、本発明について詳述した。これらの実施形態は、本発明を限定するものではなく、例示的なものに過ぎず、限定的な観点ではなく、説明的な観点で考慮されなければならない。本発明の真正な技術的保護範囲は、上述した説明でなく、添付された特許請求の範囲の技術的思想によって定められなければならない。たとえ本明細書に特定の用語が用いられているが、これは、単に本発明の概念を説明するための目的で用いられたものであり、意味限定や特許請求の範囲に記載の本発明の範囲を制限するために用いられたものではない。本発明の各段階は、必ずしも記載された順序に行われるものではなく、並列的、選択的、または個別的に行われてもよい。本発明が属する技術分野における通常の知識を有する者であれば、特許請求の範囲で請求する本発明の本質的な技術思想を逸脱しない範囲内で、様々な変形形態及び均等な他の実施形態が可能であることが理解されるであろう。均等物は、現在公知された均等物だけでなく、将来開発される均等物、すなわち、構造にかかわらず、同一の機能を行うように発明された全ての構成要素を含むものと理解されなければならない。
【符号の説明】
【０１４３】
１０  多面上映館モニタリングシステム
１１０、１２０、１３０  投射面
２００  投射装置
３００  中央管制サーバ
４００  管理者端末
【図１】
2020504913.tif 000003
【図２】
2020504913.tif 000004
【図３】
2020504913.tif 000005
【図４】
2020504913.tif 000006
【図５】
2020504913.tif 000007
【図６】
2020504913.tif 000008
【図７】
2020504913.tif 000009
【図８】
2020504913.tif 000010
【国際調査報告】
2020504913.tif 000011
2020504913.tif 000012